(57)【要約】【課題】  単一素材から鋳造される水栓金具本体を改善し、本体の内部には、人体に無害で、耐熱性に有利であり、腐食が全然発生しない成形組立体を二重に形成して、一般的な水栓金具本体の使用上の衛生問題、熱伝逹による火傷問題、耐久性問題を解決することができ、デザインの多様性による製作コストを減らす水栓金具用本体の製造方法及び水栓金具本体を提供する。【解決手段】  本発明は水栓金具用本体の製造方法に関するもので、両側から温水流入口１２ａ及び冷水流入口１４ａが設けられ、冷水流入口及び温水流入口を統合する排水口１６ａが設けられ、上部には流路を遮断するためのバルブＶ及びバルブを調整するためのレバーＬが備えられた水栓金具本体１０の製造方法であって、前記水栓金具本体１０は、各部を分割して成形するにあたり、前記バルブが設置される基準胴体１１と、温水流入口１２ａが形成された第１組立体１２と、冷水流入口１４ａが形成された第２組立体１４と、排水口１６ａが形成された第３組立体１６とに分割して成形する段階；前記基準胴体１１、第１〜第３組立体１２、１４、１６内に、ポリアミド系樹脂組成物から、流路２２ａ、２４ａ、２６ａ及び連結組立部２２ｂ、２４ｂ、２６ｂを持つようにそれぞれの内部成形組立体２２、２４、２６を二重に射出成形する段階；前記基準胴体１１に第１〜第３組立体１２、１４、１６を一つの水栓金具本体１０となるように接合する段階；及び水栓金具本体１０の接合された部位の補強及び隠蔽のために、水栓金具本体の外部にニッケルクロムをメッキ処理する段階；を含んでなることを特徴とする。人体に無害で、耐熱性及び遮熱の効果を持つポリアミド系樹脂組成物を内部成形組立体として水栓金具本体の内部に二重射出して各部を組み合わせることで、製造作業が容易であり、製造された水栓の実使用においては水栓の腐食防止効果、給水の安全性、火傷及び凍破防止の効果が提供される。【選択図】  図１
2013543070.tif 000002
【特許請求の範囲】
【請求項１】
両側から温水流入口１２ａ及び冷水流入口１４ａが設けられ、冷水流入口及び温水流入口を統合する排水口１６ａが設けられ、上部には流路を遮断するためのバルブＶ及びバルブを調整するためのレバーＬが備えられた水栓金具本体１０の製造方法において、
前記水栓金具本体１０は、各部を分割して成形するにあたり、前記バルブが設置される基準胴体１１と、温水流入口１２ａが形成された第１組立体１２と、冷水流入口１４ａが形成された第２組立体１４と、排水口１６ａが形成された第３組立体１６とに分割して成形する段階；
前記基準胴体１１、第１〜第３組立体１２、１４、１６内に、ポリアミド系樹脂組成物から、流路２２ａ、２４ａ、２６ａ及び連結組立部２２ｂ、２４ｂ、２６ｂを持つようにそれぞれの内部成形組立体２２、２４、２６を二重に射出成形する段階；
前記基準胴体１１に第１〜第３組立体１２、１４、１６を一つの水栓金具本体１０となるように接合する段階；及び
水栓金具本体１０の接合された部位の補強及び隠蔽のために、水栓金具本体の外部にニッケルクロムをメッキ処理する段階；を含んでなることを特徴とする、水栓金具用本体の製造方法。
【請求項２】
両側から温水流入口１２ａ及び冷水流入口１４ａが設けられ、冷水流入口及び温水流入口を統合する排水口１６ａが設けられ、上部には流路を遮断するためのバルブＶ、バルブを調整するためのレバーＬ、及びバルブを固定するバルブ組立体Ｖ１が備えられた水栓金具本体１０において、
前記水栓金具本体１０は、前記バルブＶが設置される基準胴体１１と、温水流入口１２ａが形成された第１組立体１２と、冷水流入口１４ａが形成された第２組立体１４と、排水口１６ａが形成された第３組立体１６とからなり、各部が一つの水栓金具本体１０に組み合わせられることができる構造となり、前記基準胴体１１、第１〜第３組立体１２、１４、１６内には、ポリアミド系樹脂組成物から、流路２２ａ、２４ａ、２６ａ及び連結組立部２２ｂ、２４ｂ、２６ｂを持つ内部成形組立体２２、２４、２６がそれぞれ二重に射出成形されて組み合わせられたことを特徴とする、水栓金具用本体。
【請求項３】
両側から温水流入口１２ａ及び冷水流入口１４ａが設けられ、上部一側には水排出管部１５が一体に設けられ、上部には流路を遮断するためのバルブＶ及びバルブを固定するためのバルブ組立体Ｖ１が備えられた水栓金具本体１０−１において、
前記水栓金具本体１０−１は、前記バルブＶが設置され、一側には前記水排出管部１５が一体に設けられた基準胴体１１−１と、温水流入口１２ａが形成された第１組立体１２−１と、冷水流入口１４ａが形成された第２組立体１４−１とからなり、各部が一つの水栓金具本体１０−１に組み合わせられることができる構造となり、前記基準胴体１１−１、第１及び第２組立体１２−１、１４−１内には、ポリアミド系樹脂組成物から、流路２２ａ、２４ａ、２６ａ及び連結組立部２２ｂ、２４ｂ、２６ｂを持つ内部成形組立体２２、２４、２６がそれぞれ二重に射出成形されて組み合わせられたことを特徴とする、水栓金具用本体。
【請求項４】
一側に排水口１が設けられ、上部には流路を遮断するためのバルブ及びバルブを固定するためのバルブ組立体Ｖ１が備えられた水栓金具本体１０−２において、
前記水栓金具本体１０−２は、前記バルブが設置される円筒状の基準胴体１１−２と、排水口が形成された第４組立体１７とが一つの水栓金具本体１０−２に組み合わせられることができる構造となり、前記基準胴体１１−２と第４組立体１７内には、ポリアミド系樹脂組成物から、流路２５ａ、２７ａ及び連結組立部２５ｂ、２７ｂを持つ内部成形組立体２５、２７がそれぞれ二重に射出成形されて組み合わせられたことを特徴とする、水栓金具用本体。
【発明の詳細な説明】
【技術分野】
【０００１】
本発明は水栓金具用本体の製造方法及び水栓金具本体に係り、より詳しくは単一素材から鋳造される水栓金具本体を改善し、本体の内部には、人体に無害で、耐熱性に有利であり、腐食が全然発生しない成形組立体を二重に形成して、一般的な水栓金具本体の使用上の衛生問題、熱伝逹による火傷問題、耐久性問題を解決することができ、デザインの多様性による製作コストを減らすようにした水栓金具用本体の製造方法及び水栓金具本体に関する。
【背景技術】
【０００２】
一般に、水栓はふろ場や流し台などに設置されて使われるもので、ボイラーに連結されて温水及び冷水を使用することができるようにしたものである。
【０００３】
通常、水栓金具は本体を除いた多数の部品（バルブ、操作レバー、パッキング、連結ホースなど）に組み合わせられて使われ、代表的な部品である本体は鋳造の容易な素材で製作される。
【０００４】
しかし、鋳造作業による水栓本体の製作は、作業において、環境汚染が多く、鋳造作業の特性上、有害な成分（黒鉛及び不純物など）が本体に残るため、製品として設置されて使用されるとき、特に食水に関連して人体に有害な問題点があり、鋳造作業の環境が劣悪であるため、これを忌避する実情である。
【０００５】
一方、水栓金具本体が製品に適用されて実際に使用される場合、水栓の長年の使用によって水栓金具本体の内部は初期製品に比べ、水道水による腐食の程度が深刻になるため、衛生に深刻な問題となることもある。
【０００６】
また、熱水使用の際、水栓金具本体は熱伝逹が早いため、ややもすると水栓本体に接触する場合、老弱者や子供たちのような場合はやけどをし易い問題点も発生している。
【０００７】
また、前述した水栓金具本体は単一体で製作されるため、類似の製品を製作するためには全般的に金型を互いに異なるように製作しなければならないので、製作コストが高くなる欠点がある。
【先行技術文献】
【特許文献】
【０００８】
【特許文献１】大韓民国登録特許第１０−０８５７２５０号公報
【特許文献２】大韓民国登録特許第１０−０７９９０７０号公報
【特許文献３】日本国特開平０８−２６０５２６号公報
【発明の概要】
【発明が解決しようとする課題】
【０００９】
本発明は前記のような従来の諸般問題点を解決するためになされたもので、その目的は、単一素材から鋳造される水栓金具本体を改善し、本体の内部には、人体に無害で、耐熱性に有利であり、腐食が全然発生しない成形組立体を二重に形成して、一般的な水栓金具本体の使用上の衛生問題、熱伝逹による火傷問題、耐久性問題を解決することができ、デザインの多様性による製作コストを減らすようにすることにある。
【課題を解決するための手段】
【００１０】
前記目的を達成するための本発明によれば、両側から温水流入口と冷水流入口が設けられ、冷水流入口及び温水流入口を統合する排水口が設けられ、上部には流路を遮断するためのバルブ及びバルブを調整するためのレバーが備えられた水栓金具本体の製造方法において、
前記水栓金具本体は、各部を分割して成形するにあたり、前記バルブが設置される基準胴体と、温水流入口が形成された第１組立体と、冷水流入口が形成された第２組立体と、排水口が形成された第３組立体とに分割して成形する段階；
前記基準胴体、第１〜第３組立体内に、ポリアミド系樹脂組成物から、流路及び連結組立部を持つようにそれぞれの内部成形組立体を二重に射出成形する段階；
前記基準胴体に第１〜第３組立体を一つの水栓金具本体となるように接合する段階；及び
水栓金具本体の接合された部位の補強及び隠蔽のために、水栓金具本体の外部にニッケルクロムをメッキ処理する段階；を含んでなる水栓金具用本体の製造方法を提供することにより達成できる。
【００１１】
また、本発明は、両側から温水流入口と冷水流入口が設けられ、冷水流入口及び温水流入口を統合する排水口が設けられ、上部には流路を遮断するためのバルブ、バルブを調整するためのレバー、及びバルブを固定するバルブ組立体が備えられた水栓金具本体において、
前記水栓金具本体は、前記バルブが設置される基準胴体と、温水流入口が形成された第１組立体と、冷水流入口が形成された第２組立体と、排水口が形成された第３組立体とからなり、各部が一つの水栓金具本体に組み合わせられることができる構造となり、前記基準胴体、第１〜第３組立体内には、ポリアミド系樹脂組成物から、流路及び連結組立部を持つ内部成形組立体がそれぞれ二重に射出成形されて組み合わせられたことを特徴とする。
【００１２】
また、本発明は、両側から温水流入口と冷水流入口が設けられ、上部一側には水排出管部が一体に設けられ、上部には流路を遮断するためのバルブ及びバルブを固定するためのバルブ組立体が備えられた水栓金具本体において、
前記水栓金具本体は、前記バルブが設置され、一側には前記水排出管部が一体に設けられた基準胴体と、温水流入口が形成された第１組立体と、冷水流入口が形成された第２組立体とからなり、各部が一つの水栓金具本体に組み合わせられることができる構造となり、前記基準胴体、第１及び第２組立体内には、ポリアミド系樹脂組成物から、流路及び連結組立部を持つ内部成形組立体がそれぞれ二重に射出成形されて組み合わせられたことを特徴とする。
【００１３】
また、本発明は、一側に排水口が設けられ、上部には流路を遮断するためのバルブ及びバルブを固定するためのバルブ組立体が備えられた水栓金具本体において、
前記水栓金具本体は、前記バルブが設置される円筒状の基準胴体と、排水口が形成された第４組立体とが一つの水栓金具本体に組み合わせられることができる構造となり、前記基準胴体と第４組立体内には、ポリアミド系樹脂組成物から、流路及び連結組立部を持つ内部成形組立体がそれぞれ二重に射出成形されて組み合わせられたことを特徴とする。
【発明の効果】
【００１４】
本発明による水栓金具用本体の製造方法及びこれによって製造された水栓金具本体は、人体に無害で、耐熱性及び遮熱の効果を持つポリアミド系樹脂組成物を内部成形組立体として水栓金具本体の内部に二重射出して各部を組み合わせることで、製造作業が容易であり、製造された水栓の実使用においては水栓の腐食防止効果、給水の安全性、火傷及び凍破防止の効果が提供される。
【図面の簡単な説明】
【００１５】
【図１】本発明による水栓金具本体の製造工程を順次に示す工程流れ図である。
【図２】本発明による水栓金具本体の各部を分離して示す斜視図である。
【図３】図２の水栓金具本体が組み合わせられた状態を示す斜視図である。
【図４】本発明による水栓金具本体を示す平面図である。
【図５】図４の水栓金具本体の内部を示すＡ−Ａ線についての断面図である。
【図６】図４の水栓金具本体の内部を示すＢ−Ｂ線についての断面図である。
【図７】本発明による水栓金具本体を含む周辺構成要素を分離して示す斜視図である。
【図８】本発明の一例による水栓金具本体を分離して示す斜視図である。
【図９】図８の水栓金具本体が組み合わせられた状態を示す斜視図である。
【図１０】図８の水栓金具本体が組み合わせられた状態を示す横断面図である。
【図１１】本発明のさらに他の一例の水栓金具本体を分離して示す斜視図である。
【図１２】図１１の水栓金具本体の組み合わせられた状態を示す縦断面図である。
【発明を実施するための形態】
【００１６】
以下、本発明を添付図面の図１〜図１２に基づいてより詳細に説明すれば次のようである。
【００１７】
本発明は、両側から温水流入口１２ａ及び冷水流入口１４ａが設けられ、冷水流入口及び温水流入口を統合する排水口１６ａが設けられ、上部には流路を遮断するためのバルブＶ、バルブを調整するためのレバーＬ、及びバルブを固定するバルブ組立体Ｖ１が備えられた水栓金具本体１０において、
前記水栓金具本体１０は、前記バルブＶが設置される基準胴体１１と、温水流入口１２ａが形成された第１組立体１２と、冷水流入口１４ａが形成された第２組立体１４と、排水口１６ａが形成された第３組立体１６とからなり、各部が一つの水栓金具本体１０に組み合わせられることができる構造であり、前記基準胴体１１、第１〜第３組立体１２、１４、１６内には、ポリアミド系樹脂組成物から、流路２２ａ、２４ａ、２６ａ及び連結組立部２２ｂ、２４ｂ、２６ｂを持つ内部成形組立体２２、２４、２６がそれぞれ二重に射出成形されて組み合わせられる構成である。
【００１８】
一方、本発明のさらに他の一例の水栓金具本体を説明すると、添付図面の図８〜図１０のように、両側から温水流入口１２ａ及び冷水流入口１４ａが設けられ、上部一側には水排出管部１５が一体に設けられ、上部には流路を遮断するためのバルブ及びバルブを固定するためのバルブ組立体Ｖ１が備えられた水栓金具本体１０−１において、
前記水栓金具本体１０−１は、前記バルブＶが設置され、一側には前記水排出管部１５が一体に設けられた基準胴体１１−１と、温水流入口１２ａが形成された第１組立体１２−１と、冷水流入口１４ａが形成された第２組立体１４−１とからなり、各部が一つの水栓金具本体１０−１に組み合わせられることができる構造であり、前記基準胴体１１−１、第１及び第２組立体１２−１、１４−１内には、ポリアミド系樹脂組成物から、流路２２ａ、２４ａ、２６ａ及び連結組立部２２ｂ、２４ｂ、２６ｂを持つ内部成形組立体２２、２４、２６がそれぞれ二重に射出成形されて組み合わせられる。
【００１９】
一方、本発明のさらに他の一例の水栓金具本体を説明すると、添付図面の図１１及び図１２のようである。
【００２０】
これは、一側に排水口１が設けられ、上部には流路を遮断するためのバルブ及びバルブを固定するためのバルブ組立体Ｖ１が備えられた水栓金具本体１０−２において、
前記水栓金具本体１０−２は、前記バルブが設置される円筒状の基準胴体１１−２と、排水口が形成された第４組立体１７とが一つの水栓金具本体１０−２に組み合わせられることができる構造であり、前記基準胴体１１−２と第４組立体１７内には、ポリアミド系樹脂組成物から、流路２５ａ、２７ａ及び連結組立部２５ｂ、２７ｂを持つ内部成形組立体２５、２７がそれぞれ二重に射出成形されて組み合わせられるように構成される。
【００２１】
本発明による水栓金具本体１０の製造方法は、添付図面の図１〜図６を参照すると、
各部を分割して成形するにあたり、前記バルブＶが設置される基準胴体１１と、温水流入口１２ａが形成された第１組立体１２と、冷水流入口１４ａが形成された第２組立体１４と、排水口１６ａが形成された第３組立体１６とに分割して一次に成形する。
【００２２】
前記のようにそれぞれ成形された基準胴体１１と第１〜第３組立体１２、１４、１６の内部には、ポリアミド系樹脂組成物から、流路２２ａ、２４ａ、２６ａ、２８ａ及び連結組立部２２ｂ、２４ｂ、２６ｂ、２８ｂを持つようにそれぞれの内部成形組立体２２、２４、２６、２８を二重に射出成形する。
【００２３】
ここで、二重に射出される内部成形組立体２２、２４、２６、２８は、基準胴体１１と第１〜第３組立体１２、１４、１６に一体的に堅固に成形されるとともに付着され、基準胴体１１と第１〜第３組立体１２、１４、１６に対する連結組立部２２ｂ、２４ｂ、２６ｂ、２８ｂはパズル形態のように組み合わせられるように形成される。
【００２４】
前記のようにそれぞれ成形された構成要素は、連結組立部２２ｂ、２４ｂ、２６ｂ、２８ｂを通じて、前記基準胴体１１に第１〜第３組立体１２、１４、１６を一つの水栓金具本体１０となるように、添付図面の図３のように接合して組み合わせる。ここで、各部の組み合わせられた部分の境界部位は外観上に現れている。
【００２５】
前記のような水栓金具本体１０の接合された部位の補強及び隠蔽のために、水栓金具本体の外部には通常に電気分解方式でニッケルクロム（図示せず）をメッキ処理して滑らかな水栓金具本体の外観を与えるように作業して水栓金具本体の製造を完成し、完成された水栓金具本体は添付図面の図７のようにその他の付随的な構成要素であるレバーＬ及びバルブＶなどの部品を組み合わせて水栓を設置することができるようになる。
【００２６】
前述したように、添付図面の図８〜図１２に一例として示した水栓金具本体１０−１、１０−２も前記と同様に組み合わせられるが、ただデザインは異なるものである。
【００２７】
本発明による各水栓金具本体１０、１０−１、１０−２の構成において、基準胴体１１、１１−１、１１−２に適用される内部成形組立体２２、２４、２５、２６、２７、２８が一つの水栓金具本体１０に組み合わせられた各部において、内部成形組立体２２、２４、２６、２８はポリアミド系樹脂組成物（ナイロン樹脂）から成形されているので、耐久性に優れている。
【００２８】
また、流路２２ａ、２４ａ、２５ａ、２６ａ、２７ａ、２８ａを通じて排水口１６ａあるいは水排出管部１５に設置された連結ホース（図示せず）は、水栓金具本体１０の素材の腐食を防止する効果とともに鋳造時に含有されて排出される有害成分を遮断するので、給水使用の際に人体に全く無害である。
【００２９】
また、前記ポリアミド系樹脂組成物素材は、周知のように、素材の特性上、耐熱性に優れるため、水栓金具本体を通じて熱水を使用するとき、水栓金具本体に伝達される熱を遮断することにより、皮膚との接触による火傷防止に大いに役立つ利点がある。
【００３０】
また、水栓金具本体が外部に施設されて使われる場合においても、特に冬期に水栓が凍ってしまう欠点を防止して最小かすることができる利点が提供される。
【００３１】
また、本発明による水栓金具本体は、基準胴体に連結されるそれぞれの組立体のデザインを互いに異なるように成形して組合させるだけでも新しい水栓金具本体のデザイン金型設計及び金型製作コストをめっきり節減することができる利点が提供される。
【符号の説明】
【００３２】
１０、１０−１、１０−２    水栓金具本体
１１、１１−１、１１−２    基準胴体
１２、１２−１    第１組立体
１４、１４−１    第２組立体
１５    水排出管部
１６    第３組立体
２２、２４、２５、２６、２７、２８    内部成形組立体
２２ａ、２４ａ、２５ａ、２６ａ、２７ａ、２８ａ    流路
２２ｂ、２４ｂ、２５ｂ、２６ｂ、２７ｂ、２８ｂ    連結組立部
【図１】
2013543070.tif 000003
【図２】
2013543070.tif 000004
【図３】
2013543070.tif 000005
【図４】
2013543070.tif 000006
【図５】
2013543070.tif 000007
【図６】
2013543070.tif 000008
【図７】
2013543070.tif 000009
【図８】
2013543070.tif 000010
【図９】
2013543070.tif 000011
【図１０】
2013543070.tif 000012
【図１１】
2013543070.tif 000013
【図１２】
2013543070.tif 000014
【国際調査報告】
2013543070.tif 000015
2013543070.tif 000016
2013543070.tif 000017
2013543070.tif 000018